(57)【要約】【課題】本発明は、電線接続コネクタを接続する際の誤接続を防ぎつつ、保有部品点数の削減を図ることができる電線接続コネクタを提供する。【解決手段】複数の電源供給側コネクタと複数の電源被供給側コネクタのそれぞれから一つを選択し互いを接続することで電源供給側コネクタから電源被供給側コネクタへと電力を供給するコネクタ装置において、複数の電源供給側コネクタには、供給電力量の違い毎に大きさの異なる接続部が設けられており、複数の電源被供給側コネクタには、電源被供給側コネクタが必要とする必要電力量の違い毎に大きさの異なる被接続部が設けられており、被接続部にはこれより小さな前記接続部が接続可能であって、供給電力量と必要電力量とが一致する場合、もしくは、供給電力量が必要電力量よりも下回る場合にのみ、接続部と被接続部とが接続可能であることを特徴とするコネクタ装置。【選択図】図１
2015176706.tif 000002
【特許請求の範囲】
【請求項１】
複数の電源供給側コネクタからいずれか一つを選択し、電源被供給側コネクタと接続することで前記電源供給側コネクタから前記電源被供給側コネクタへと電力を供給するコネクタ装置において、
複数の前記電源供給側コネクタには、それぞれ接続部が設けられており、
前記接続部の個数は、複数の前記電源供給側コネクタごとに異なり、前記接続部の個数の違いにより前記電源供給側コネクタからの供給電力量を変化させ、
前記電源被供給側コネクタには、一定個数の被接続部が設けられており、
前記電源被供給側コネクタが必要とする必要電力量に応じた前記供給電力量を供給する前記電源供給側コネクタを選択し、
前記接続部とこの接続部の個数と同じ個数の前記被接続部とを接続可能であることを特徴とするコネクタ装置。
【請求項２】
前記電源供給側コネクタと前記電源被供給側コネクタとを接続する際、
前記被接続部の個数が前記接続部よりも多い場合は、
前記被接続部の個数と接続部の個数とが等しくなるように前記電源供給側コネクタに電気的接続機能を有しないダミー接続部を設けることを特徴とする請求項１記載のコネクタ装置。
【請求項３】
前記電源供給側コネクタに共通接続部を設け、
前記電源供給側コネクタと前記電源被供給側コネクタとを接続させた際に前記共通接続部に対応する位置に、共通被接続部を設け、
前記共通接続部及び前記共通被接続部の形状は、前記接続部及び前記被接続部の形状と異なることを特徴とする請求項１または請求項２記載のコネクタ。
【請求項４】
光源と、
前記光源に電力を供給する電源装置と、
前記光源と前記電源装置とを有する器具本体と、
請求項１乃至３に記載のコネクタ装置における前記電源供給側コネクタと前記電源被供給側コネクタとを備えたことを特徴とする照明装置。
【発明の詳細な説明】
【技術分野】
【０００１】
本発明は、コネクタ装置および照明装置に関するものである。
【背景技術】
【０００２】
ＬＥＤ照明器具には、少なくともＬＥＤ光源およびＬＥＤ点灯回路が備えられている。このＬＥＤ光源およびＬＥＤ点灯回路からは、互いに配線が引き出され、その先端にはコネクタが設けられている。そして、組み立て時、又は、施工時において、互いのコネクタを接続することによって電気的接続を図っている。
【０００３】
近年、多種多様なＬＥＤ照明器具が市場に出回り、ＬＥＤ光源の多品種化、ＬＥＤ点灯回路の多品種化が進んでいる。その結果、組み立て時、又は、施工時において、どのＬＥＤ光源をどのＬＥＤ点灯回路と接続すればよいのかが複雑化しており、作業員の作業効率性を低下させている。
【０００４】
特許文献１には、種類の異なる複数の照明器具を一つの電力系統と接続する例が開示されている。
【先行技術文献】
【特許文献】
【０００５】
【特許文献１】特開２０１２−４３７５５号公報
【発明の概要】
【発明が解決しようとする課題】
【０００６】
電源を供給する複数の配線と、複数のＬＥＤ照明器具とをそれぞれ接続する際、上述の特許文献１のように位相の変化を観察することによって、誤接続によるＬＥＤ光源の破壊を防ぐ技術は公になっている。
【０００７】
しかしながら、上記のように位相の変化を観察するためには、複雑な検知手段が必要となっていた。
【０００８】
そこで、本発明は、複雑な検知手段を用いることもなく、視覚的に捉えることが可能な形状に着目することで、誤接続によるＬＥＤ光源の破損を防止し、かつ、接続の簡易化を図ることができるコネクタ装置を提供することを目的とする。
【課題を解決するための手段】
【０００９】
本発明のコネクタ装置は、複数の電源供給側コネクタからいずれか一つを選択し、電源被供給側コネクタと接続することで電源供給側コネクタから電源被供給側コネクタへと電力を供給するコネクタ装置において、複数の電源供給側コネクタには、それぞれ接続部が設けられており、接続部の個数は、複数の電源供給側コネクタごとに異なり、接続部の個数の違いにより電源供給側コネクタからの供給電力量を変化させ、電源被供給側コネクタには、一定個数の被接続部が設けられており、電源被供給側コネクタが必要とする必要電力量に応じた供給電力量を供給する電源供給側コネクタを選択し、接続部とこの接続部の個数と同じ個数の被接続部とを接続可能であることを特徴とする。
【００１０】
また、電源供給側コネクタと電源被供給側コネクタとを接続する際、被接続部の個数が接続部よりも多い場合は、被接続部の個数と接続部の個数とが等しくなるように電源供給側コネクタに電気的接続機能を有しないダミー接続部を設けることを特徴とするものであ
ってもよい。
【００１１】
また、電源供給側コネクタに共通接続部を設け、電源供給側コネクタと電源被供給側コネクタとを接続させた際に共通接続部に対応する位置に、共通被接続部を設け、共通接続部及び共通被接続部の形状は、接続部及び被接続部の形状と異なることを特徴とするものであってもよい。
【００１２】
また、光源と、光源に電力を供給する電源装置と、光源と電源装置とを有する器具本体と、上述のコネクタ装置における電源供給側コネクタと電源被供給側コネクタとを備えた照明装置であってもよい。
【発明の効果】
【００１３】
本発明は、電線接続コネクタを接続する際の誤接続を防ぎつつ、保有部品点数の削減を図ることができる電線接続コネクタを提供する。
【図面の簡単な説明】
【００１４】
【図１】実施形態１に係るコネクタ装置の斜視図
【図２】実施形態２に係るコネクタ装置の斜視図
【図３】実施形態３に係る照明装置の分解図
【発明を実施するための形態】
【００１５】
以下、コネクタ装置の実施形態について図１〜図○を用いて説明を行う。なお、以下の実施形態においては、ＬＥＤ照明器具に関するコネクタ装置に特化した説明を行うが、本発明におけるコネクタ装置の形状は、ＬＥＤ照明器具に用いるものに限定されるものではなく、その他様々な用途としてのコネクタ装置に活用することが可能である。
（実施形態１）
本実施形態に示すコネクタ装置１００は、複数の電源供給側コネクタ１１０からいずれか一つを選択し、電源被供給側コネクタ１２０と接続することで電源供給側コネクタ１１０から電源被供給側コネクタ１２０へと電力を供給するコネクタ装置１００において、複数の電源供給側コネクタ１１０には、それぞれ接続部１３０が設けられており、接続部１３０の個数は、複数の電源供給側コネクタ１１０ごとに異なり、接続部１３０の個数の違いにより電源供給側コネクタ１１０からの供給電力量を変化させ、電源被供給側コネクタ１２０には、一定個数の被接続部１４０が設けられており、電源被供給側コネクタ１２０が必要とする必要電力量に応じた供給電力量を供給する電源供給側コネクタ１１０を選択し、接続部１３０とこの接続部１３０の個数と同じ個数の被接続部１４０とを接続可能である。
【００１６】
また、本実施形態に示すコネクタ装置１００は、電源供給側コネクタ１１０に共通接続部１５０を設け、電源供給側コネクタ１１０と電源被供給側コネクタ１２０とを接続させた際に共通接続部１５０に対応する位置に、共通被接続部１６０を設け、共通接続部１５０及び共通被接続部１６０の形状は、接続部１３０及び被接続部１４０の形状と異なるものである。
【００１７】
図２に示すように本実施形態の照明装置２４０は、ＬＥＤ光源１７０と、ＬＥＤ光源１７０に電力を供給する電源装置１８０と、ＬＥＤ光源１７０と電源装置１８０とを有する器具本体２６０と、コネクタ装置１００における電源供給側コネクタ１１０と電源被供給側コネクタ１２０とを備えたものである。
【００１８】
以下本実施形態における特徴部分を説明する。
【００１９】
コネクタ装置１００は、電源供給側コネクタ１１０と電源被供給側コネクタ１２０とを有しており、電源供給側コネクタ１１０と電源被供給側コネクタ１２０とを組み合わせることによって、電気的接続を実現している。コネクタ装置１００は絶縁材料で構成されており、例えば、塩化ビニル、合成ゴム、ポリエステル、エポキシ、シリコーンなど合成樹脂系材料からなっている。
【００２０】
電源供給側コネクタ１１０には、複数個の接続部１３０が備えられている。それぞれの接続部１３０には、電源装置１８０からの配線が接続されている。また、図１では、接続部１３０を凸形状で示しているが、この形状に限られず、接続可能な形状であればよく、例えば凹形状であってもよい。また、接続部１３０の先端もしくは側面には、電力供給部（図示せず）がもうけられており、この電力供給部は導電材料で構成されている。
【００２１】
電源被供給側コネクタ１２０には、一定個数の被接続部１４０が備えられている。この被接続部１４０には、ＬＥＤ光源１７０からの配線が接続されている。また、図１では、被接続部１４０を凹形状で示しているが、この形状に限られず、接続可能な形状であればよく、例えば凸形状であってもよい。また、被接続部１４０の底面または周面には、電力被供給部（図示せず）がもうけられており、この電力供給部は導電材料で構成されている。
【００２２】
上記構成により、電源供給側コネクタ１１０の接続部１３０から、電源被供給部１２０の被接続部１４０へと電力の授受が行われる構造となっている。
【００２３】
複数の電源供給側コネクタ１１０には、それぞれ設けられている接続部１３０の個数が異なっている。このように、接続部１３０の個数を異ならせることによって、電源供給側コネクタ１１０から電源被供給側コネクタ１２０への供給電力量を変化させている。
【００２４】
具体的には、電源供給側コネクタ１１１には３個の接続部１３０、電源供給側コネクタ１１２には２個の接続部１３０、電源供給側コネクタ１１３には１個の接続部１３０が設けられており、電源供給側コネクタ１１１の方が電源供給側コネクタ１１２よりも大きい電力量を供給でき、また、電源供給側コネクタ１１２の方が電源供給側コネクタ１１３よりも大きい電力量を供給することが可能である。
【００２５】
このように、それぞれ異なった種類の電力量を供給することができる複数の電源供給側コネクタ１１０の中から、ＬＥＤ光源１７０が必要とする必要電力量を供給する電源供給側コネクタ１１０を選択することが可能である。
【００２６】
以上のように、任意に電源供給側コネクタ１１０を選択することが可能であることから電源被供給側コネクタ１２０を一種類用意しておくことで、様々な電力量に対応することが可能となり、製造時の保有部品点数の削減につながる。
【００２７】
また、電源供給側コネクタ１１０には、共通接続部１５０が備えられている。この共通接続部１５０はニュートラル接続であって、供給電力量の大きさを左右するものではなく、いずれの電源供給側コネクタ１１０においても同形状である。これと対応する電源被供給側コネクタ１２０の共通被接続部１６０においても、必要電力量の大きさを左右するものではなく、いずれの電源被供給側コネクタ１２０においても同形状である。
【００２８】
ここで、接続部１３０と共通接続部１５０の形状について説明する。共通接続部１３０と共通接続部１５０はそれぞれ、異なる形状を有している。このように互いを異なる形状とすることで、被接続部１４０に共通接続部１５０を誤って接続することを防ぐことが可能となる。
【００２９】
図１において、共通接続部１５０および共通被接続部１６０は円柱状、接続部１３０および被接続部１４０も円柱状であるが、これは一例にすぎず、例えば、四角柱状、多角柱状であってもよい。
【００３０】
ここで、図２に示した、コネクタ装置１００を用いた照明装置２４０について説明を行う。
【００３１】
コネクタ装置１００における電源供給側コネクタ１１０を電源装置１８０に接続し、電源被供給側コネクタ１２０を光源１７０と接続する。このように配線することによって、光源１７０が求める必要電力量を供給する電源供給側コネクタ１１０を選択することができ、保有する部品点数の削減が可能となる。
【００３２】
また、照明装置２４０は、光源固定具２００、反射板２１０、コーン２２０、取り付けバネ２３０を備える構造となっている。
（実施形態２）
実施形態１で示した内容と同一部分に関しては、実施形態１で記載した内容と同一であるため、記載を省略する。
【００３３】
図３に示すコネクタ装置１００には接続部１３０およびダミー接続部２５０が設けられている。ダミー接続部２５０は、被通電端子であって、被接続部１４０と接続されても電力を通電するものではない。
【００３４】
ダミー接続部２５０が被接続部１４０と接続されることで、被接続部１４０に埃が侵入することを防ぐことが可能である。その結果、埃の侵入による漏電事故を防ぐことが可能である。
【００３５】
また、ダミー接続部２５０と接続部１３０の形状は同一形状である。互いの形状を同一とすることで、電源被供給側コネクタ１２０も一種類だけ準備すればよいことになる。
【符号の説明】
【００３６】
１００  コネクタ装置
１１０  １１１  １１２  １１３  １１４  電源供給側コネクタ
１２０  電源被供給側コネクタ
１３０  接続部
１４０  被接続部
１５０  共通接続部
１６０  共通被接続部
１７０  光源
１８０  電源装置
１９０  器具本体
２３０  照明装置
２５０  ダミー接続部
【図１】
2015176706.tif 000003
【図２】
2015176706.tif 000004
【図３】
2015176706.tif 000005